(57)【要約】【課題】ユーザが見逃した音声や映像を自動的に記録しておくことができる放送信号受信装置を提供する。【解決手段】環境音量が所定閾値以上であるかを検出し、環境音量が所定閾値以上である場合には、現在選局中の番組の録画の開始信号を出力する。【選択図】図１
2013110698.tif 000002
【特許請求の範囲】
【請求項１】
環境音量が所定閾値以上であるかを検出する環境音量判定部と、
前記環境音量が所定閾値以上である場合には、現在選局中の番組の録画の開始信号を出力する録画開始部と、
を備えることを特徴とする放送信号受信装置。
【請求項２】
前記録画の開始信号を入力して録画を開始する録画部と、
録画再生操作の入力を検出した場合に、前記録画した番組を再生する再生部と、
を備えることを特徴とする請求項１に記載の放送信号受信装置。
【請求項３】
前記再生部は、通常再生速度よりも速い速度で前記録画した番組を再生する
ことを特徴とする請求項２に記載の放送信号受信装置。
【請求項４】
前記録画した番組の再生に伴って、当該再生する映像音声の出力と、前記選局中の番組の放送に基づく映像音声の出力とが、一致した場合に、前記録画と前記再生とを停止する停止部と、
を備えることを特徴とする請求項３に記載の放送信号受信装置。
【請求項５】
前記録画の開始信号の出力から所定の時間経過しても前記録画再生操作の入力を検出しない場合には、前記環境音量の前記所定閾値を上げる設定を行う環境音量閾値上方修正部と、
を備えることを特徴とする請求項２から請求項４の何れか一項に記載の放送信号受信装置。
【請求項６】
前記録画開始部が現在選局中の番組の録画の開始信号を出力していない状態において、所定の録画開始操作を入力した場合には、前記環境音量の前記所定閾値を下げる設定を行う環境音量閾値下方修正部と、
を備えることを特徴とする請求項１から請求項５の何れか一項に記載の放送信号受信装置。
【請求項７】
外部装置と通信ネットワークを介して環境音量を受信する環境音量取得部と、を備え、
前記環境音量判定部は、前記通信ネットワークを介して受信した環境音量が所定閾値以上であるかを判定する
ことを特徴とする請求項１から請求項６の何れか一項に記載の放送信号受信装置。
【請求項８】
放送信号受信装置の処理方法であって、
環境音量が所定閾値以上であるかを検出し、
前記環境音量が所定閾値以上である場合には、現在選局中の番組の録画の開始信号を出力する
ことを特徴とする処理方法。
【請求項９】
前記録画の開始信号を入力して録画を開始し、
録画再生操作の入力を検出した場合に、前記録画した番組を再生する
ことを特徴とする請求項８に記載の処理方法。
【請求項１０】
通常再生速度よりも速い速度で前記録画した番組を再生することを特徴とする請求項９に記載の処理方法。
【請求項１１】
前記録画した番組の再生に伴って、当該再生する映像音声の出力と、前記選局中の番組の放送に基づく映像音声の出力とが、一致した場合に、前記録画と前記再生とを停止する
ことを特徴とする請求項１０に記載の処理方法。
【請求項１２】
前記録画の開始信号の出力から所定の時間経過しても前記録画再生操作の入力を検出しない場合には、前記環境音量の前記所定閾値を上げる設定を行う
ことを特徴とする請求項９から請求項１１の何れか一項に記載の処理方法。
【請求項１３】
前記録画開始部が現在選局中の番組の録画の開始信号を出力していない状態において、所定の録画開始操作を入力した場合には、前記環境音量の前記所定閾値を下げる設定を行う
ことを特徴とする請求項８から請求項１２の何れか一項に記載の処理方法。
【請求項１４】
外部装置と通信ネットワークを介して環境音量を受信し、
当該通信ネットワークを介して受信した環境音量が所定閾値以上であるかを判定する
ことを特徴とする請求項８から請求項１３の何れか一項に記載の処理方法。
【請求項１５】
放送信号受信装置のコンピュータを、
環境音量が所定閾値以上であるかを検出する環境音量判定手段、
前記環境音量が所定閾値以上である場合には、現在選局中の番組の録画の開始信号を出力する録画開始手段、
として機能させるためのプログラム。
【請求項１６】
前記録画の開始信号を入力して録画を開始する録画手段、
録画再生操作の入力を検出した場合に、前記録画した番組を再生する再生手段、
として機能させるための請求項１５に記載のプログラム。
【請求項１７】
前記再生手段は、通常再生速度よりも速い速度で前記録画した番組を再生する
ことを特徴とする請求項１６に記載のプログラム。
【請求項１８】
前記録画した番組の再生に伴って、当該再生する映像音声の出力と、前記選局中の番組の放送に基づく映像音声の出力とが、一致した場合に、前記録画と前記再生とを停止する停止手段、
として機能させるための請求項１７に記載のプログラム。
【請求項１９】
前記録画の開始信号の出力から所定の時間経過しても前記録画再生操作の入力を検出しない場合には、前記環境音量の前記所定閾値を上げる設定を行う環境音量閾値上方修正手段、
として機能させるための請求項１６から請求項１８の何れか一項に記載のプログラム。
【請求項２０】
前記録画開始手段が現在選局中の番組の録画の開始信号を出力していない状態において、所定の録画開始操作を入力した場合には、前記環境音量の前記所定閾値を下げる設定を行う環境音量閾値下方修正手段、
として機能させるための請求項１５から請求項１９の何れか一項に記載のプログラム。
【請求項２１】
外部装置と通信ネットワークを介して環境音量を受信する環境音量取得手段として機能させ、
前記環境音量判定手段は、前記通信ネットワークを介して受信した環境音量が所定閾値以上であるかを判定する
ことを特徴とする請求項１５から請求項２０の何れか一項に記載のプログラム。
【発明の詳細な説明】
【技術分野】
【０００１】
本発明は、録画開始機能を備える放送信号受信装置およびその処理方法とプログラムに関する。
【背景技術】
【０００２】
テレビの視聴中に、周囲の騒音により肝心な部分の音声が聞き取ることができない場合がある。このような場合に、画面上に自動的に会話又は台詞等の字幕を表示する技術が特許文献１に開示されている。
【先行技術文献】
【特許文献】
【０００３】
【特許文献１】特開２００７−１２９６６３号公報
【発明の概要】
【発明が解決しようとする課題】
【０００４】
しかしながら、上述の特許文献では、騒音の原因を止めようとテレビの前から離れた場合（例えば騒いでいる子供を注意したり、テレビから離れている窓を閉めたりする行為を行った場合）には、字幕を見ることができずに、結局、番組の内容を途中で見逃してしまうことになる。
【０００５】
そこでこの発明は、騒音によって番組の音声を途中で聞き漏らした場合でも、確実にその内容を把握することのできる放送信号受信装置およびその処理方法とプログラムを提供することを目的としている。
【課題を解決するための手段】
【０００６】
上記目的を達成するために、本発明は、環境音量が所定閾値以上であるかを検出する環境音量判定部と、前記環境音量が所定閾値以上である場合には、現在選局中の番組の録画の開始信号を出力する録画開始部と、を備えることを特徴とする放送信号受信装置である。
【０００７】
また本発明は、上述の放送信号受信装置において、前記録画の開始信号を入力して録画を開始する録画部と、録画再生操作の入力を検出した場合に、前記録画した番組を再生する再生部と、を備えることを特徴とする。
【０００８】
また本発明は、上述の放送信号受信装置において、前記再生部は、通常再生速度よりも速い速度で前記録画した番組を再生することを特徴とする。
【０００９】
また本発明は、上述の放送信号受信装置において、前記録画した番組の再生に伴って、当該再生する映像音声の出力と、前記選局中の番組の放送に基づく映像音声の出力とが、一致した場合に、前記録画と前記再生とを停止する停止部と、を備えることを特徴とする。
【００１０】
また本発明は、上述の放送信号受信装置において、前記録画の開始信号の出力から所定の時間経過しても前記録画再生操作の入力を検出しない場合には、前記環境音量の前記所定閾値を上げる設定を行う環境音量閾値上方修正部と、を備えることを特徴とする。
【００１１】
また本発明は、上述の放送信号受信装置において、前記録画開始部が現在選局中の番組の録画の開始信号を出力していない状態において、所定の録画開始操作を入力した場合には、前記環境音量の前記所定閾値を下げる設定を行う環境音量閾値下方修正部と、を備えることを特徴とする。
【００１２】
また本発明は、上述の放送信号受信装置において、外部装置と通信ネットワークを介して環境音量を受信する環境音量取得部と、を備え、前記環境音量判定部は、前記通信ネットワークを介して受信した環境音量が所定閾値以上であるかを判定することを特徴とする。
【００１３】
また本発明は、放送信号受信装置の処理方法であって、環境音量が所定閾値以上であるかを検出し、前記環境音量が所定閾値以上である場合には、現在選局中の番組の録画の開始信号を出力することを特徴とする処理方法である。
【００１４】
また本発明は、上述の処理方法において、前記録画の開始信号を入力して録画を開始し、録画再生操作の入力を検出した場合に、前記録画した番組を再生することを特徴とする。
【００１５】
また本発明は、上述の処理方法において、通常再生速度よりも速い速度で前記録画した番組を再生することを特徴とする。
【００１６】
また本発明は、上述の処理方法において、前記録画した番組の再生に伴って、当該再生する映像音声の出力と、前記選局中の番組の放送に基づく映像音声の出力とが、一致した場合に、前記録画と前記再生とを停止することを特徴とする。
【００１７】
また本発明は、上述の処理方法において、前記録画の開始信号の出力から所定の時間経過しても前記録画再生操作の入力を検出しない場合には、前記環境音量の前記所定閾値を上げる設定を行うことを特徴とする。
【００１８】
また本発明は、上述の処理方法において、前記録画開始部が現在選局中の番組の録画の開始信号を出力していない状態において、所定の録画開始操作を入力した場合には、前記環境音量の前記所定閾値を下げる設定を行うことを特徴とする。
【００１９】
また本発明は、上述の処理方法において、外部装置と通信ネットワークを介して環境音量を受信し、当該通信ネットワークを介して受信した環境音量が所定閾値以上であるかを判定することを特徴とする。
【００２０】
また本発明は、放送信号受信装置のコンピュータを、環境音量が所定閾値以上であるかを検出する環境音量判定手段、前記環境音量が所定閾値以上である場合には、現在選局中の番組の録画の開始信号を出力する録画開始手段、として機能させるためのプログラムである。
【００２１】
また本発明は、上述のコンピュータを、前記録画の開始信号を入力して録画を開始する録画手段、録画再生操作の入力を検出した場合に、前記録画した番組を再生する再生手段、として機能させるためのプログラムである。
【００２２】
また本発明は、上述のコンピュータにおいて、前記再生手段は、通常再生速度よりも速い速度で前記録画した番組を再生することを特徴とするプログラムである。
【００２３】
また本発明は、上述のコンピュータを、前記録画した番組の再生に伴って、当該再生する映像音声の出力と、前記選局中の番組の放送に基づく映像音声の出力とが、一致した場合に、前記録画と前記再生とを停止する停止手段、として機能させるためのプログラムである。
【００２４】
また本発明は、上述のコンピュータを、前記録画の開始信号の出力から所定の時間経過しても前記録画再生操作の入力を検出しない場合には、前記環境音量の前記所定閾値を上げる設定を行う環境音量閾値上方修正手段、として機能させるためのプログラムである。
【００２５】
また本発明は、上述のコンピュータを、前記録画開始手段が現在選局中の番組の録画の開始信号を出力していない状態において、所定の録画開始操作を入力した場合には、前記環境音量の前記所定閾値を下げる設定を行う環境音量閾値下方修正手段、として機能させるためのプログラムである。
【００２６】
また本発明は、上述のコンピュータを、外部装置と通信ネットワークを介して環境音量を受信する環境音量取得手段として機能させ、前記環境音量判定手段は、前記通信ネットワークを介して受信した環境音量が所定閾値以上であるかを判定することを特徴とするプログラムである。
【発明の効果】
【００２７】
本発明によれば、環境音の影響によって番組の音声を途中で聞き漏らした場合でも、確実にその内容を把握することができる。
【図面の簡単な説明】
【００２８】
【図１】放送信号受信装置の構成を示す第１のブロック図である。
【図２】信号処理部の機能ブロック図である。
【図３】放送信号受信装置の処理フローを示す図である。
【図４】放送信号受信装置の構成を示す第２のブロック図である。
【発明を実施するための形態】
【００２９】
以下、本発明の一実施形態による放送信号受信装置を図面を参照して説明する。
図１は同実施形態による放送信号受信装置の構成を示す第１のブロック図である。
この図において、符号１は放送信号受信装置である。当該放送信号受信装置１は、例えばテレビなどである。放送信号受信装置１はテレビ以外の携帯端末などの放送信号を受信する装置であればどのような装置であってもよい。
放送信号受信装置１は、放送信号受信部１０、リモコン受光部１１、動作制御部１２、マイク１３、信号処理部１４、記憶部１５、表示部１６を備えている。また放送信号受信装置１は、録画部１７、再生部１８、映像音声記憶部１９を備えるようにしてもよい。当該録画部１７、再生部１８、映像音声記憶部１９は、放送信号受信装置１と通信接続された録画装置に備わるようにしてもよい。
【００３０】
ここで、放送信号受信部１０は、電波塔などから発信された放送信号を受信する処理部である。
またリモコン受光部１１は、ユーザのリモコン操作によりリモコンから発信された操作信号を受信する。
また動作制御部１２は、リモコンの操作信号に対応する操作情報を出力する処理部である。
またマイク１３は、環境音を集音する。
また信号処理部１４は、放送信号の信号処理や、録画開始の有無を判定する処理部である。
また記憶部１５は、録画開始の判定に用いる環境音量の閾値などの、各処理に用いる情報を記憶する。
また表示部１６は、映像等を表示する処理部である。
【００３１】
また録画部１７は、放送信号から得た映像音声データを記録する処理部である。
また再生部１８は、記録している映像音声データを用いて映像音声を再生する処理部である。
また映像音声記憶部１９は、映像音声データを記憶する。
【００３２】
図２は信号処理部の機能ブロック図である。
この図が示すように、信号処理部１４は、制御部１４１、環境音量判定部１４２、録画開始部１４３、停止部１４４、環境音量閾値上方修正部１４５、環境音量閾値下方修正部１４６の各機能を備えている。
【００３３】
制御部１４１は、信号処理部１４内の各処理部を制御する処理部である。
環境音量判定部１４２は、環境音量が所定閾値以上であるかを検出する処理部である。
録画開始部１４３は、環境音量が所定閾値以上である場合に、現在選局中の番組の録画の開始信号を録画部１７へ出力する処理部である。
停止部１４４は、録画した番組の再生に伴って、当該再生する映像音声の出力と、選局中の番組の放送に基づく映像音声の出力とが、一致した場合に、録画と再生とを停止する信号を出力する処理部である。
【００３４】
また、環境音量閾値上方修正部１４５は、録画の開始信号の出力から所定の時間経過しても録画再生操作の入力を検出しない場合には、環境音量の所定閾値を上げる設定を行う処理部である。
環境音量閾値下方修正部１４６は、録画開始部１４３が現在選局中の番組の録画の開始信号を出力していない状態において、所定の録画開始操作を入力した場合には、環境音量の所定閾値を下げる設定を行う処理部である。
【００３５】
本実施形態の放送信号受信装置１は、環境音量が所定閾値以上であるかを検出し、環境音量が所定閾値以上である場合に、現在選局中の番組の録画の開始信号を出力する。このような処理により、ユーザが見逃した音声や映像を自動的に記録しておくことができる。
【００３６】
図３は放送信号受信装置の処理フローを示す図である。
以下、放送信号受信装置の処理フローの詳細について説明する。
まず、放送信号受信装置１の信号処理部１４は、放送信号受信部１０において受信した放送信号を信号処理して映像データと音声データを取得する。そして映像データを表示部１６に出力する。これにより表示部１６は、モニタ等に映像を出力する。また信号処理部１４は、音声データを音声出力部（図示せず）へ出力する。そして当該音声出力部はスピーカから音を出力する。当該映像データと音声データを取得するための処理は、テレビ内部で行われている信号処理と同様である。そして、このようにユーザによって現在選局されている番組の映像や音声が出力されている状況において、信号処理部１４は、マイク１３から集音データを入力する（ステップＳ１０１）。
【００３７】
ここで集音データには、放送信号受信装置１が出力した番組の音声も含まれている。従って、環境音を取得する場合には、当該集音データから番組の音声を取り除く信号処理が必要になる。信号処理部１４内の制御部１４１は、信号処理によって集音データから番組の音声を取り除き、環境音信号を抽出する（ステップＳ１０２）。なお、集音データから環境音信号を抽出する信号処理は、公知の技術であればどのような技術を用いても構わない。そして、制御部１４１は、抽出した環境音信号を環境音量判定部１４２へ出力する。
【００３８】
次に環境音量判定部１４２は、環境音信号に基づいて環境音量を特定する（ステップＳ１０３）。また環境音量判定部１４２は、記憶部１５から環境音量の閾値を読み取る（ステップＳ１０４）。そして環境音量判定部１４２は、特定した環境音量と、記憶部１５より読み取った環境音量の閾値とを比較して、入力した環境音信号に基づいて特定した環境音量が、閾値以上であるかを判定する（ステップＳ１０５）。そして環境音量判定部１４２は、入力した環境音信号に基づいて特定した環境音量が、閾値以上である場合には、入力した環境音信号に基づいて特定した環境音量が、閾値以上であることを示す信号を録画開始部１４３と制御部１４１へ出力する。すると録画開始部１４３は、録画の開始信号を録画部１７へ出力する。
【００３９】
これにより、録画部１７は、信号処理部１４から放送信号を受信して録画を開始する（ステップＳ１０６）。または録画部１７が録画装置内に記録されている場合には、当該録画装置に備えられた放送信号受信部から得た放送信号に基づいて録画を開始してもよい。録画部１７は、録画処理よって生成した映像音声データを、映像音声記憶部１９へ記録する。
【００４０】
以上の処理によって、環境音量が閾値以上である場合には、自動的に番組の録画が開始される。これにより、ユーザは、周囲がうるさい場合などに、録画によって記録した映像音声データを後から再生して、視聴することが可能となる。
【００４１】
ここで、ユーザは録画された映像音声データを再生したい場合、リモコンを操作して録画再生指示を行う。すると、リモコン受光部１１は録画再生指示の操作信号を入力して動作制御部１２へ出力する（ステップＳ１０７）。また動作制御部１２は、録画再生指示の操作信号に対応する操作情報を信号処理部１４へ出力する。これにより、信号処理部１４の制御部１４１は、再生部１８へ再生要求を出力する。すると、再生部１８は、映像音声データを映像音声記憶部１９より読み取り、再生処理を行う（ステップＳ１０８）。そして再生部１８は読み取った映像音声データに基づいて、映像と音声の信号を信号処理部１４へ出力する。また信号処理部１４は、表示部１６に映像信号を出力し、音声信号を音声出力部へ出力する。
【００４２】
なお、再生部１８は、映像音声記憶部１９から読み取った映像音声データの再生において、通常の再生速度より速い速度で再生処理を行う。これにより、録画した番組の再生において、当該再生する映像音声と、選局中の番組の放送に基づいて録画を経ずに直ちに出力される映像音声の、同一位置の出力タイミングが、所定の時間経過すると一致する。所定の時間は録画時間の長さに応じて長くなる。停止部１４４は、当該再生する映像音声と、選局中の番組の放送に基づいて録画を経ずに直ちに出力される映像音声の、同一位置の出力タイミングが一致したかを判定する（ステップＳ１０９）。例えば、録画部１７は映像音声データ中に録画時刻を記録しておく。そして、再生部１８は、再生している映像音声データ中から読み取った録画時刻を停止部１４４へ出力し、停止部１４４は、当該録画時刻と、現在時刻とが一致した場合には録画と再生を停止すると判定する。停止部１４４は、この処理以外の手法によって、再生する映像音声と、選局中の番組の放送に基づいて録画を経ずに直ちに出力される映像音声の、同一位置の出力タイミングが一致したことを判定するようにしてもよい。
【００４３】
そして、停止部１４４は、録画停止信号を録画部１７へ出力し（ステップＳ１１０）、再生停止信号を再生部１８へ出力する（ステップＳ１１１）。また停止部１４４は制御部１４１へ再生停止信号を出力する。これにより、録画部１７は録画処理を停止し、再生部１８も再生処理を停止する。なお、ユーザの停止操作の信号の入力に基づいて、録画と再生を停止するようにしてもよい。制御部１４１は、放送信号から抽出した映像信号を表示部１６へ出力するとともに、音声信号を音声出力部へ出力する。
【００４４】
これにより、録画処理と再生処理が停止すると同時に、通常の放送信号による映像と音声が出力される。当該処理においては、視聴しているユーザにとって、再生処理によって出力されている映像、音声と、再生処理停止後の放送信号に基づき録画を経ずに直ちに出力されている映像、音声とが、途切れないよう処理されることが望ましい。
【００４５】
以上の放送信号受信装置の処理によれば、ユーザは、視聴時に周囲の閾値以上の環境音量によって見逃した映像や音声を、所定の操作に基づいて直ちに視聴し直すことが可能となる。
【００４６】
なお、制御部１４１は、ステップＳ１０５の後に、環境音信号に基づいて特定された環境音量が閾値以上であることを示す信号を環境音量判定部１４２より入力すると、時刻をカウントし、そのカウント時間を環境音量閾値上方修正部１４５へ出力する。また、制御部１４１は、ステップＳ１０７の後において、動作制御部１２より録画再生指示に対応する操作情報を入力した場合には、環境音量閾値上方修正部１４５へ録画再生信号を出力する。環境音量閾値上方修正部１４５は、カウントを開始してからのカウント時間が所定の時間ΔＴを経過しても録画再生指示の入力を検出しない場合には、環境音量を、所定閾値を上げる処理を行う。つまり、記憶部１５に記録されている環境音量の閾値の値に、所定の値を加算して更新する。
これにより、録画した映像音声データの再生操作が行われない場合には、自動的に環境音量の閾値が上方修正され、より高い環境音量で自動的な録画開始が行われることとなる。
【００４７】
また、制御部１４１は、環境音量が閾値以上であることを示す信号を入力したか否かをメモリ等に記憶している。そして、環境音量が閾値以上であることを示す信号を環境音量判定部１４２より入力していない場合に、動作制御部１２より録画再生指示に対応する操作情報を入力した場合には、環境音量閾値下方修正部１４６へ録画再生信号を出力する。環境音量閾値下方修正部１４６は、録画再生信号を入力すると、環境音量を、所定閾値を下げる処理を行う。つまり、記憶部１５に記録されている環境音量の閾値の値から、所定の値を減算して更新する。
これにより自動的に環境音量の閾値が下方修正され、より低い環境音量で自動的な録画開始が行われることとなる。
【００４８】
図４は放送信号受信装置の構成を示す第２のブロック図である。
図４で示す放送信号受信装置１は、マイク１３の代わりに、通信処理部１００と環境音量取得部１０１の処理部を備えている。また図４において符号３は携帯端末（外部装置）である。
また通信処理部１００は、携帯端末３と無線通信ネットワークを介して接続する処理部である。また環境音量取得部１０１は、通信処理部１００を介して携帯端末３より環境音量を受信する処理部である。
そして、このような放送信号受信装置１において、環境音量判定部１４２が、無線通信ネットワークを介して受信した環境音量が所定閾値以上であるかを判定する。それ以降の処理は、図１〜図３を用いて説明した処理フローと同様である。
このように、放送信号受信装置１が、外部の携帯端末３より環境音量を取得することにより、より視聴者に近い位置での環境音量を取得して、その環境音量に基づく録画開始の可否を判定することができる。つまり、視聴者に近い位置での環境音量による録画開始の可否を判定することができるため、より視聴者の感じる環境音量による録画開始の可否の判定を行うころができる。
【００４９】
なお上述の放送信号受信装置は内部に、コンピュータシステムを有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００５０】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００５１】
１・・・放送信号受信装置
３・・・携帯端末
１０・・・放送信号受信部
１１・・・リモコン受光部
１２・・・動作制御部
１３・・・マイク
１４・・・信号処理部
１５・・・記憶部
１６・・・表示部
１７・・・録画部
１８・・・再生部
１９・・・映像音声記憶部
１００・・・通信処理部
１０１・・・環境音量取得部
１４１・・・制御部
１４２・・・環境音量判定部
１４３・・・録画開始部
１４４・・・停止部
１４５・・・環境音量閾値上方修正部
１４６・・・環境音量閾値下方修正部
【図１】
2013110698.tif 000003
【図２】
2013110698.tif 000004
【図３】
2013110698.tif 000005
【図４】
2013110698.tif 000006